(57)【要約】【課題】スピンドルの自転を抑制する。【解決手段】ハウジング２０とスピンドル３０の間には圧力室Ｓが設けられており、スピンドル３０は、流入口と圧力室を連通する連通路３１と、圧力室Ｓ内においてハウジング２０及び弁体４０のいずれか一方に螺合する螺合部とを備える。スピンドル３０及び弁体４０のいずれか一方は、連通路３１を介して圧力室Ｓ内に流入した流体の圧力によって、流入口に対向する方向に加圧される被加圧部を有する。【選択図】図６
2019168103.tif 000002
【特許請求の範囲】
【請求項１】
軸方向の端部に流体の流入口を備え、前記流入口から流入した流体が内部を流通して流出口から流出する筒状のハウジングと、
前記ハウジング内に回転可能に配置されたスピンドルと、
前記スピンドルの回転に伴い前記ハウジングの内部を軸方向に往復動することによって前記流入口の開閉を行う弁体とを備える弁構造であって、
前記ハウジングと前記スピンドルの間に圧力室が設けられており、
前記スピンドルは、前記流入口と前記圧力室を連通する連通路と、前記圧力室内において前記ハウジング及び前記弁体のいずれか一方に螺合する螺合部とを備え、
前記スピンドル及び前記弁体のいずれか一方は、前記連通路を介して前記圧力室内に流入した流体の圧力によって、前記流入口に対向する方向に加圧される被加圧部を有することを特徴とする弁装置。
【請求項２】
前記被加圧部は、前記スピンドルにおける径方向外側に突出した鍔部の上面で構成され、前記鍔部は、前記圧力室内における前記流入口側の端部に位置する請求項１に記載の弁装置。
【請求項３】
前記スピンドルの前記鍔部の上面の面積は、前記流入口の開口面積と同等である請求項２に記載の弁装置。
【請求項４】
前記鍔部の外周と前記ハウジングの内周との間に、シール部が形成されている請求項２又は３に記載の弁装置。
【請求項５】
前記流出口は、前記ハウジングの周面に形成されている請求項１〜４のいずれか一項に記載の弁装置。
【発明の詳細な説明】
【技術分野】
【０００１】
本発明は、弁装置に関する。
【背景技術】
【０００２】
特許文献１には、水栓に使用される弁装置について、給水源（供給源）からの水圧に起因するスピンドルの自転を抑制する技術が記載されている。
図９（ａ）に示すように、特許文献１の弁装置５０は、筒状のハウジング５１と、ハウジング５１の内部に配置されたスピンドル５２と、スピンドル５２と一体可動するシャフト５３と、シャフト５３に取付けられた弁体５４とを備える。スピンドル５２には操作用ハンドル５５が接続されている。スピンドル５２は、外周の雄ネジ部５２ａがハウジング５１内周の雌ネジ部５１ａに螺合していることによって、ハウジング５１内を回転しながら往復動可能に構成されている。また、スピンドル５２を回転させることによって、シャフト５３に取付けられた弁体５４も往復動可能に構成されている。
【０００３】
図９（ｂ）に示すように、スピンドル５２は、他端側がハウジング５１から露出している。この露出した他端側と、操作用ハンドル５５に取り付けられるハンドル金具５６の内壁面とが噛合した状態で、スピンドル５２と操作用ハンドル５５は一体回転可能に接続されている。そして、操作用ハンドル５５に取り付けられた線状のバネ材５７と、ハウジング５１の他端側の端面に設けられた凹部５１ｂとが係合することによって、操作用ハンドル５５の回転動作に対して抵抗が付与される。そのため、給水源からの水圧が給水路５８側から弁体５４にかかり、スピンドル５２に対してスピンドル５２が自転する方向に力が作用しても、スピンドル５２の自転が抑制される。
【先行技術文献】
【特許文献】
【０００４】
【特許文献１】特開平１１−３１５９３６号公報
【発明の概要】
【発明が解決しようとする課題】
【０００５】
特許文献１の弁装置は、バネ材５７とハウジング５１の凹部５１ｂとの係合によってスピンドル５２の自転を抑制しているため、バネ材５７の劣化や凹部５１ｂの摩耗によって、操作用ハンドル５５の抵抗が経年的に低下する虞がある。本発明は、こうした実情に鑑みてなされたものであり、その目的は、供給源の流体の圧力に起因するスピンドルの自転を好適に抑制することができる弁装置を提供することにある。
【課題を解決するための手段】
【０００６】
上記課題を解決するための弁装置は、軸方向の端部に流体の流入口を備え、前記流入口から流入した流体が内部を流通して流出口から流出する筒状のハウジングと、前記ハウジング内に回転可能に配置されたスピンドルと、前記スピンドルの回転に伴い前記ハウジングの内部を軸方向に往復動することによって前記流入口の開閉を行う弁体とを備える弁構造であって、前記ハウジングと前記スピンドルの間に圧力室が設けられており、前記スピンドルは、前記流入口と前記圧力室を連通する連通路と、前記圧力室内において前記ハウジング及び前記弁体のいずれか一方に螺合する螺合部とを備え、前記スピンドル及び前記弁体のいずれか一方は、前記連通路を介して前記圧力室内に流入した流体の圧力によって前記流入口に対向する方向に加圧される被加圧部を有することを要旨とする。
【０００７】
この構成によれば、スピンドル及び弁体のいずれか一方が、連通路を介して圧力室内に流入した流体の圧力によって流入口に対向する方向に加圧される被加圧部を有することにより、流入口側から弁体に付与される圧力を緩和することができる。スピンドルが自転する方向に作用する力を弱めることができるため、スピンドルの自転を抑制することができる。
【０００８】
上記弁装置について、前記被加圧部は、前記スピンドルにおける径方向外側に突出した鍔部の上面で構成され、前記鍔部は、前記圧力室内における前記流入口側の端部に位置することが好ましい。この構成によれば、鍔部の上面に圧力室内の流体の圧力を付与することにより、スピンドルを流入口に対向する方向に効率良く加圧することができる。そのため、スピンドルの自転をより効果的に抑制することができる。
【０００９】
上記弁装置について、前記スピンドルの前記鍔部の上面の面積は、前記流入口の開口面積と同等であることが好ましい。この構成によれば、スピンドルの自転を抑制するうえで、鍔部の断面積が好適なものとなる。
【００１０】
上記弁装置について、前記鍔部の外周と前記ハウジングの内周との間に、シール部が形成されていることが好ましい。この構成によれば、鍔部全体を圧力室内に配置することが可能になるため、鍔部の上面全体を被加圧部として利用することができる。
【００１１】
上記弁装置について、前記流出口は、前記ハウジングの周面に形成されていることが好ましい。この構成によれば、ハウジングの周面を流体の流出口として利用することができる。
【発明の効果】
【００１２】
本発明の弁装置によれば、スピンドルの自転を抑制することができる。
【図面の簡単な説明】
【００１３】
【図１】本実施形態の水栓の斜視図。
【図２】本実施形態の水栓の部分断面図。
【図３】弁装置の斜視図。
【図４】（ａ）、（ｂ）は、弁装置の分解斜視図。
【図５】弁装置の断面図。
【図６】（ａ）、（ｂ）は、水栓本体に取り付けられた弁装置の断面図。
【図７】変更例の弁装置の断面図。
【図８】別の変更例の弁装置の断面図。
【図９】（ａ）は、従来技術の水栓の部分断面図、（ｂ）は、従来技術の水栓の分解斜視図。
【発明を実施するための形態】
【００１４】
弁装置の実施形態を説明する。
図１、２に示すように、弁装置１０は、壁面１１から突出する筒状の水栓本体１２に取り付けて用いられる。弁装置１０は、筒状のハウジング２０と、ハウジング２０内に回転可能に配置されたスピンドル３０と、スピンドル３０の一端側の端部に取付けられた弁体４０とを備えている。
【００１５】
図２、３に示すように、スピンドル３０は、ハウジング２０の他端側から一部が突出しており、この突出した部分に操作用ハンドル１７が取り付けられている。そして、操作用ハンドル１７を回転操作することによって、スピンドル３０を回転させることができるように構成されている。弁体４０は、スピンドル３０の回転に伴ってハウジング２０の内部を軸方向に往復動可能に構成されている。弁体４０の位置によって、ハウジング２０の軸方向における一端側の端部に設けられた水の流入口としての第１開口孔２１ｂの開閉状態を制御することができるように構成されている。そして、第１開口孔２１ｂの開閉状態を制御することにより、第１開口孔２１ｂから流入する水の流量を調節することができるように構成されている。
【００１６】
ハウジング２０について説明する。
図４（ａ）、（ｂ）、図５に示すように、ハウジング２０は、第１筒体２１と第２筒体２２とが接続された状態で構成されている。第１筒体２１は、一端側の端部に底壁２１ａが設けられており、底壁２１ａの中心に第１開口孔２１ｂが設けられている。また、一端側の端部における第１開口孔２１ｂを囲む位置に環状の第１シール部材２１ｃが配置されている。第１開口孔２１ｂは、ハウジング２０における水の流入口として機能する。第１筒体２１の一端側の周面には、周面を貫通する第２開口孔２１ｄが形成されている。第２開口孔２１ｄは、周方向に沿って複数形成され、互いに等間隔となるように配置されている。第２開口孔２１ｄは、ハウジング２０における水の流出口として機能する。第１筒体２１における他端側の開口には、その内周に段差２１ｇが形成され、該段差２１ｇよりも一端側に第１ネジ溝２１ｅが形成されている。第１筒体２１の内周における第２開口孔２１ｄと第１ネジ溝２１ｅとの間には、全周に亘って延びる凹溝２１ｈが形成され、該凹溝２１ｈに環状の第２シール部材２１ｆが配置されている。
【００１７】
第２筒体２２は、一端側に位置する小径部２２ａと、小径部２２ａの他端側に連続して設けられて小径部２２ａよりも径が大きい中径部２２ｂと、中径部２２ｂの他端側に連続して設けられて中径部２２ｂよりも径が大きい大径部２２ｃとを有している。小径部２２ａと中径部２２ｂと大径部２２ｃの内径は、略等しくなるように構成されている。
【００１８】
小径部２２ａの一端側の外周には、第２ネジ溝２２ｄが形成され、第１筒体２１の第１ネジ溝２１ｅと螺合することができるように構成されている。小径部２２ａの他端側には、全周に亘って延びる凹溝２２ｋが形成され、該凹溝２２ｋは第１筒体２１における他端側の開口の段差２１ｇに対向して配置される。この凹溝２２ｋと段差２１ｇによって囲まれる環状空間に環状の第３シール部材２２ｅが配置されている。第３シール部材２２ｅが配置されていることによって、第１ネジ溝２１ｅと第２ネジ溝２２ｄとを螺合させて第１筒体２１と第２筒体２２とを接続した際に、第１筒体２１と第２筒体２２の接続部を水密状態にシールすることができる。
【００１９】
図４（ａ）、（ｂ）、図５に示すように、中径部２２ｂの一端側の外周には、第３ネジ溝２２ｆが形成され、後述する水栓本体１２の挿入口１３の内周に設けられた第５ネジ溝１３ａと螺合することができるように構成されている。また、中径部２２ｂの他端側には、全周に亘って環状の第４シール部材２２ｇが配置されている。第４シール部材２２ｇが配置されていることによって、第３ネジ溝２２ｆと第５ネジ溝１３ａとを螺合させて第２筒体２２を水栓本体１２に取り付けた際に、第２筒体２２と水栓本体１２の接続部を水密状態にシールすることができる。
【００２０】
第２筒体２２における小径部２２ａ及び中径部２２ｂの内周には、第４ネジ溝２２ｈが形成されている。第４ネジ溝２２ｈは、後述するスピンドル３０の螺合部と螺合して、スピンドル３０を回転可能に保持する被螺合部として機能する。第４ネジ溝２２ｈは、ネジ溝のつる巻線が２本存在する２条ネジで構成されている。
【００２１】
図２、５に示すように、大径部２２ｃは、スピンドル３０に操作用ハンドル１７が取り付けられた際に、操作用ハンドル１７の本体部１７ａが大径部２２ｃの他端側の外周を覆うように構成されている。大径部２２ｃの内周には、全周に亘って環状の第５シール部材２２ｉが配置されている。第５シール部材２２ｉは、軸方向に間隔をおいて２つ並設されている。第５シール部材２２ｉが配置されていることによって、大径部２２ｃの内周と、スピンドル３０の外周との間を水密状態にシールすることができる。
【００２２】
スピンドル３０について説明する。
図４（ａ）、（ｂ）、図５に示すように、スピンドル３０は、柱状の本体部３０ａと、本体部３０ａの一端側の端部において径方向外側に突出した鍔部３０ｂとを有している。鍔部３０ｂは、他端側に位置する面である上面３０ｄを有しており、この上面３０ｄは、後述するようにスピンドル３０の被加圧部として機能する。本体部３０ａは、ハウジング２０の被螺合部に螺合した状態で配置することができるように、ハウジング２０の第２筒体２２の内径よりも外径が若干小さく構成されている。鍔部３０ｂは、ハウジング２０の第２筒体２２の内径よりも外径が大きく構成されている。また、鍔部３０ｂは、ハウジング２０の第１筒体２１の内径よりも外径が小さく構成され、第１筒体２１の内周に配置された第２シール部材２１ｆに、鍔部３０ｂの外周が当接するように構成されている。鍔部３０ｂの外周と第２シール部材２１ｆとが当接することにより、鍔部３０ｂの外周と第１筒体２１の内周との間を水密状態にシールすることが可能となる。
【００２３】
スピンドル３０の鍔部３０ｂの上面３０ｄの面積は、特に限定されないが、ハウジング２０の第１開口孔２１ｂの開口面積と同等であることが好ましい。これにより、スピンドル３０の自転を抑制するうえで、鍔部３０ｂの上面３０ｄの面積が好適なものとなる。
【００２４】
スピンドル３０の本体部３０ａは、本体部３０ａをハウジング２０の第２筒体２２に挿入した際に、本体部３０ａの他端側が第２筒体２２の他端側から突出するように、第２筒体２２より長く構成されている。
【００２５】
スピンドル３０の外周には、本体部３０ａをハウジング２０の第２筒体２２に挿入した際にハウジング２０の被螺合部と重なる位置に、第６ネジ溝３０ｃが形成されている。第６ネジ溝３０ｃは、ハウジング２０の被螺合部と螺合する螺合部として機能する。第６ネジ溝３０ｃは、ネジ溝のつる巻線が２本存在する２条ネジで構成されている。スピンドル３０の本体部３０ａの第６ネジ溝３０ｃとハウジング２０の第４ネジ溝２２ｈとが螺合することによって、スピンドル３０はハウジング２０内に回転可能に配置された状態となる。
【００２６】
図４（ｂ）、図５に示すように、スピンドル３０には、一端側の端部から軸方向に延びる第１孔３１ａが形成されている。また、スピンドル３０には、本体部３０ａの径方向に延びる第２孔３１ｂが形成されている。第２孔３１ｂは、第１孔３１ａの他端側に連通しているとともに、本体部３０ａの周面に開口している。第１孔３１ａの内周には、ネジ溝３１ｃが形成されており、このネジ溝３１ｃにネジ４１を取付けることによって、本体部３０ａの一端側に弁体４０を固定することができるように構成されている。そのため、第１孔３１ａは、ネジ孔としても機能する。第２孔３１ｂは、本体部３０ａの周面における鍔部３０ｂと螺合部の間に開口するように構成されている。
【００２７】
弁体４０について説明する。
図４（ａ）、（ｂ）、図５に示すように、弁体４０は、環状の板材で構成され、上述のようにスピンドル３０の一端側の端面に当接した状態でネジ４１で固定されている。弁体４０の外径は、ハウジング２０の第１筒体２１の内径よりも小さく構成されている。また、弁体４０の外径は、ハウジング２０の第１筒体２１の底壁に設けられた第１開口孔２１ｂの内径よりも大きく構成され、第１開口孔２１ｂを塞ぐことができるように構成されている。弁体４０の材質は特に限定されないが、例えば、ゴムなどの弾性を有する材料で構成されていることが好ましい。また、各シール部材２１ｃ、２１ｆ、２２ｅ、２２ｇ、２２ｉの材質も同様に、ゴムなどの弾性を有する材料で構成されていることが好ましい。
【００２８】
弁体４０を固定するネジ４１には、軸方向に沿って貫通孔４１ａが設けられている。この貫通孔４１ａは、ネジ４１がスピンドル３０に取付けられた状態において、第１孔３１ａと連通するように構成されている。
【００２９】
弁装置１０を構成する各部材を組み付ける手順について説明する。
まず、スピンドル３０の一端側の端面に弁体４０を当接させてネジ４１で固定する。次に、ハウジング２０の第２筒体２２の一端側から、弁体４０を取付けたスピンドル３０の他端側を挿入して、第２筒体２２の被螺合部と、スピンドル３０の螺合部とを螺合させる。この状態で、第２筒体２２の他端側から、スピンドル３０の本体部３０ａの他端側が突出した状態となる。
【００３０】
次に、ハウジング２０の第２筒体２２の第２ネジ溝２２ｄに、第１筒体２１の第１ネジ溝２１ｅを螺合させて、第１筒体２１と第２筒体２２とを接続する。これにより、スピンドル３０の鍔部３０ｂは、外周が第１筒体２１の内周の第２シール部材２１ｆに当接した状態で、第１筒体２１内に収容された状態となる。このようにして、弁装置１０を構成する各部材は組み付けられる。各部材を組み付ける順序は、上記の順序に限定されず、適宜、組み付ける順序を変更してもよい。
【００３１】
図５に示すように、各部材が組み付けられた状態において、弁装置１０には、ハウジング２０、スピンドル３０、第２シール部材２１ｆ、第３シール部材２２ｅ、及び、第５シール部材２２ｉで囲まれた内部空間（圧力室Ｓ）が形成される。この圧力室Ｓは、スピンドル３０の第１孔３１ａ、第２孔３１ｂ、及び、ネジ４１の貫通孔４１ａを通じて外部と連通している。すなわち、スピンドル３０の第１孔３１ａ、第２孔３１ｂ、及び、ネジ４１の貫通孔４１ａは、第１開口孔２１ｂと圧力室Ｓを連通する連通路３１として機能し、図６（ａ）に示すように、連通路３１を通じて給水源の水Ｗが圧力室Ｓ内に流入することができるように構成されている。そして、圧力室Ｓ内にスピンドル３０の螺合部が設けられた状態となる。また、スピンドル３０の鍔部３０ｂは、圧力室Ｓ内の一端側の端部、すなわち、第１開口孔２１ｂ（流入口）側の端部に位置した状態となる。
【００３２】
弁装置を水栓本体に取り付ける手順について説明する。
まず初めに、弁装置１０が取り付けられる水栓本体１２の内部構造について説明する。図２に示すように、水栓本体１２の内部には、給水源側である上流側の給水路１４と、吐水口側である下流側の吐水路１５と、給水路１４と吐水路１５を区画する区画壁１６とが設けられている。区画壁１６には、給水路１４と吐水路１５を連通させる連通孔１６ａが設けられている。
【００３３】
図２に示すように、水栓本体１２に弁装置１０を取り付ける際には、まず、水栓本体１２の周面に設けられた挿入口１３に、弁装置１０におけるハウジング２０の一端側を挿入する。このとき、ハウジング２０の第１筒体２１の第１開口孔２１ｂが、水栓本体１２の区画壁１６の連通孔１６ａに重なるように、弁装置１０を配置する。そして、第１筒体２１の第１開口孔２１ｂの周囲に配置された第１シール部材２１ｃが、連通孔１６ａの周囲に当接することにより、第１開口孔２１ｂと連通孔１６ａとが水密状態で接続される。
【００３４】
さらに、ハウジング２０の第２筒体２２における中径部２２ｂの第３ネジ溝２２ｆを、水栓本体１２の挿入口１３の内周の第５ネジ溝１３ａに螺合させることによって、ハウジング２０は水栓本体１２に接続される。この際、中径部２２ｂの他端側に配置された第４シール部材２２ｇが、水栓本体１２の挿入口１３の端部に当接した状態となり、ハウジング２０の第２筒体２２と水栓本体１２の挿入口１３との間が水密状態でシールされる。
【００３５】
次に、弁装置１０のハウジング２０の他端側から突出したスピンドル３０の他端側に、操作用ハンドル１７を取付ける。操作用ハンドル１７が取り付けられることによって、操作用ハンドル１７を操作してスピンドル３０を回転させ、弁体４０を軸方向に往復動させることが可能となる。このようにして、弁装置１０は水栓本体１２に取り付けられた状態となる。
【００３６】
本実施形態の作用について説明する。
図６（ａ）に示すように、弁体４０がハウジング２０の第１開口孔２１ｂに当接している場合、すなわち、弁体４０と第１開口孔２１ｂの離間距離がゼロである場合、水Ｗの流入口である第１開口孔２１ｂが閉じた状態となる。そのため、水栓本体１２における水Ｗの流通が停止された状態となる。これに対し、図６（ｂ）に示すように、弁体４０がハウジング２０の第１開口孔２１ｂから離間している場合、第１開口孔２１ｂが開いた状態となる。そのため、給水源からの水Ｗは、給水路１４から第１開口孔２１ｂに流入して、ハウジング２０の第２開口孔２１ｄから吐水路１５へと矢印Ｙ３に沿って流出する。そして、弁体４０と第１開口孔２１ｂの離間距離を調整することにより、吐水路へ流出する水Ｗの流量を調整することができる。ここで、図６（ａ）に示すように、第１開口孔２１ｂが閉じた状態において、圧力室Ｓ内には、スピンドル３０の連通路３１を通じて給水源の水Ｗが流入した状態となる。そして、給水源の水Ｗの圧力が、連通路３１を通じて圧力室Ｓ内に伝わり、被加圧部として機能するスピンドル３０の鍔部３０ｂの上面３０ｄに与される。そのため、矢印Ｙ１で示すように、スピンドル３０の鍔部３０ｂの上面３０ｄが、第１開口孔２１ｂに対向する方向に加圧され、第１開口孔２１ｂ側から矢印Ｙ２に沿って弁体４０に付与される圧力が緩和される。
【００３７】
本実施形態の効果について説明する。
（１）ハウジング２０とスピンドル３０の間に圧力室Ｓが設けられており、スピンドル３０は、第１開口孔２１ｂと圧力室Ｓを連通する連通路３１と、圧力室Ｓ内においてハウジング２０に螺合する螺合部とを備える。スピンドル３０は、連通路３１を介して圧力室Ｓ内に流入した水の圧力によって第１開口孔２１ｂに対向する方向に加圧される被加圧部を有する。
【００３８】
スピンドル３０が、連通路３１を介して圧力室Ｓ内に流入した水の圧力によって第１開口孔２１ｂに対向する方向に加圧される被加圧部を有することにより、第１開口孔２１ｂ側から弁体４０に付与される水の圧力を緩和することができる。したがって、スピンドル３０に対して、弁体４０を開く方向に作用する力を弱めることができるため、スピンドル３０の自転を抑制することができる。さらに、従来技術の弁装置のように、部材同士を係合させることによって自転を抑制するものではないため、部材の劣化や摩耗の影響を受けにくくすることができる。
【００３９】
（２）被加圧部は、スピンドル３０における径方向外側に突出した鍔部３０ｂの上面３０ｄで構成され、鍔部３０ｂは、圧力室Ｓ内における第１開口孔２１ｂ側の端部に位置する。鍔部３０ｂの上面３０ｄに圧力室Ｓ内の水の圧力を付与することにより、スピンドル３０を第１開口孔２１ｂに対向する方向に効率良く加圧することができる。したがって、スピンドル３０の自転をより効果的に抑制することができる。
【００４０】
（３）スピンドル３０の鍔部３０ｂの上面３０ｄの面積は、第１開口孔２１ｂの開口面積と同等である。したがって、スピンドル３０の自転を抑制するうえで、鍔部３０ｂの上面の面積が好適なものとなる。
【００４１】
（４）鍔部３０ｂの外周とハウジング２０の内周との間に、第２シール部材２１ｆが形成されている。したがって、鍔部３０ｂ全体を圧力室Ｓ内に配置することが可能になるため、鍔部３０ｂの上面３０ｄ全体を被加圧部として効率良く利用することができる。
【００４２】
（５）水の流出口である第２開口孔２１ｄは、ハウジング２０の周面に形成されている。したがって、ハウジング２０の周面を水の流出口として利用することができる。
本実施形態は、以下のように変更して実施することができる。本実施形態及び以下の変更例は、技術的に矛盾しない範囲で互いに組み合わせて実施することができる。
【００４３】
・弁装置１０は、水栓の流量調整弁として用いられる態様に限定されない。水以外の流体の流量調整弁として用いることも可能であり、水以外の流体としては、例えば、油や有機溶剤等が挙げられる。
【００４４】
・第４ネジ溝２２ｈ及び第６ネジ溝３０ｃは、ネジ溝のつる巻線が２本存在する２条ネジに限定されない。互いに螺合できるように構成されていれば、１条ネジのようにネジ溝が１本存在するもので構成されていてもよいし、３条ネジのようにネジ溝が３本存在するもの、つまり、ネジ溝が３本以上存在するように構成されていてもよい。
【００４５】
・スピンドル３０の第１孔３１ａは、ネジ孔としての機能を有していなくてもよい。すなわち、第１孔３１ａとネジ孔とが、個別に設けられていてもよい。第１孔３１ａの数は１つに限定されず、複数形成されていてもよい。
【００４６】
・スピンドル３０の第２孔３１ｂは、鍔部３０ｂと螺合部の間に開口するように構成された態様に限定されない。圧力室Ｓ内に連通する範囲において、本体部３０ａの周面における任意の箇所に第２孔３１ｂが開口していてもよい。例えば、スピンドル３０における螺合部よりも他端側であってもよいし、螺合部と重なる位置であってもよい。第２孔３１ｂの数は１つに限定されず、複数形成されていてもよい。
【００４７】
・スピンドル３０の鍔部３０ｂの上面３０ｄの面積は、第１開口孔２１ｂ（流入口）の開口面積と同等である態様に限定されない。スピンドル３０の鍔部３０ｂの上面３０ｄの面積は、流入口の開口面積よりも大きく構成されていてもよいし、小さく構成されていてもよい。流入口の開口面積よりも大きく構成されている場合、圧力室Ｓ側から鍔部３０ｂの上面３０ｄに付与される水の圧力が、流入口側から弁体４０に付与される水の圧力よりも大きくなる。スピンドル３０に対して、弁体４０が開く方向に自転する力よりも、弁体４０が閉じる方向に自転する力を大きく作用させることが可能となるため、弁体４０が開く方向にスピンドル３０が自転することを効果的に抑制することができる。
【００４８】
・本実施形態では、被加圧部は、スピンドル３０の鍔部３０ｂの上面３０ｄによって構成されていたが、この態様に限定されない。被加圧部は、弁体４０に設けられていてもよい。例えば、図７に示すように、スピンドル３０が柱状の本体部３０ａを有し、本体部３０ａの一端側の端面に、本体部３０ａの外径よりも大きな外径を有する環状の弁体４２が取付けられていてもよい。そして、環状の弁体４２の外周が、第１筒体２１の内周の第２シール部材２１ｆに当接するように構成されていてもよい。この態様において、弁体４２におけるスピンドル３０の外径よりも径が大きい箇所の上面４２ａが、被加圧部として機能する。
【００４９】
・被加圧部が弁体に設けられている別の態様としては、例えば、図８に示すように、ハウジング２０の内部において、スピンドル３０と弁体４３とが螺合した状態で取付けられた態様であってもよい。この態様では、スピンドル３０の外周の螺合部３０ｅと、筒状の弁体４３の内周の被螺合部４３ａとが螺合した状態で、スピンドル３０と弁体４３は接続されている。スピンドル３０が回転することによって、弁体４３がハウジング２０の内部を軸方向に往復動可能に構成されている。ハウジング２０と、スピンドル３０と、弁体４３と、それらを水密状態でシールする各シール部材とによって囲まれた領域が圧力室Ｓとして機能しており、圧力室Ｓ内に、スピンドル３０の螺合部３０ｅが設けられている。なお、図８では、圧力室Ｓ内に水Ｗが流入した状態を示している。そして、スピンドル３０の連通路３１が、圧力室Ｓ内に位置するように構成されている。そして、筒状の弁体４３における他端側の端面４３ｂが、被加圧部として機能する。すなわち、圧力室Ｓ内の水圧が、被加圧部として機能する弁体４３の他端側の端面４３ｂに付与されることにより、弁体４３は、矢印Ｙ４で示すように、第１開口孔２１ｂに対向する方向に押圧される。これにより、第１開口孔２１ｂ側から弁体４３に付与される圧力を緩和して、スピンドル３０の自転を抑制することができる。
【符号の説明】
【００５０】
１０…弁装置、２０…ハウジング、３０…スピンドル、３１…連通路、４０…弁体、Ｓ…圧力室。
【図１】
2019168103.tif 000003
【図２】
2019168103.tif 000004
【図３】
2019168103.tif 000005
【図４】
2019168103.tif 000006
【図５】
2019168103.tif 000007
【図６】
2019168103.tif 000008
【図７】
2019168103.tif 000009
【図８】
2019168103.tif 000010
【図９】
2019168103.tif 000011